(57)【要約】【課題】不正に工具を使用して鍵を開けることができない、シリンダー錠を提供する。【解決手段】外筒１と内筒２にそれぞれ上下ピン７、８を相通するシリンダー錠において、外筒のピン孔１１内にはめ込む上ピンを下が大きく上が小さい形状とし、且つ多段の違う大きさの外径とすることにより、上ピンに二つの隣接する大きさの違う外径の間で直角状の端角を形成させたシリンダー錠。正常に鍵を用い開ける時は、ピンは均等に押し上げられて上下ピンの接する面が外筒と内筒の接線３の位置に一致するが、不正に工具で開ける場合にはピンは不均等な力を受けて傾斜し、違う大きさの外径の間の端角が外筒と内筒の間の縁部で係止され、ピンの上昇を阻止する。【選択図】        図７
2004204447.tif 000002
【特許請求の範囲】
【請求項１】
外筒と内筒にそれぞれ上下ピンを相通するシリンダー錠において、
外筒のピン孔内にはめ込む上ピンを下が大きく上が小さい形状とし、且つ多段の違う大きさの外径とすることにより、上ピンに二つの隣接する大きさの違う外径の間で直角状の端角を形成させたことを特徴とするシリンダー錠。
【発明の詳細な説明】
【０００１】
【発明の属する技術分野】
本発明の一種のシリンダー錠は、特に外筒内にはめ込むピンを指し、下が大きく上が小さいピンは多段の大きさが違う外径を具え、正常に鍵を開ける時は、ピンは順調に突き上げられ上昇し鍵は開けられるが、泥棒に工具を使ってこっそりと開けられる時は、ピンは動かされることで傾斜状態となり、大きさの違う外径間に形成される端角は、鍵の内筒と外筒の交わる角部分で押さえられ、ピンは阻まれ固定されて上に押し上げられることはできず、鍵を開けることはできず、これにより確実に鍵を閉めたままの効果を得られる。
【０００２】
【従来の技術】
通常鍵による戸締りする場合、図１に示すように、鍵具は基本的に、外筒１内に内筒２を嵌め込んで構成され、内筒２の中央には鍵穴２１を設け、鍵の挿入によって開けられる。図２で示すように、外筒１と中身２内部には複数の対応する上下ピン孔１１、２２を設け、ピンの設置により固定され、その中で外筒１の上ピン孔１１に嵌め込まれるピンは上ピン１２と呼ばれ、上ピン１２の断面は工字型になっており、また内筒２のピン孔２２にはめ込まれるピンは下ピン２３と呼ばれ、上ピン１２と下ピン２３は支え合う状態で、且つ上ピン１２はバネ１３の弾発力を受け、上ピン１２は外筒１と内筒２の接する面（線）３で横方向の移動を阻まれる共に下ピン２３を図の下方に移動させ鍵穴２１の相対する壁に押し当て、内筒２は上ピン１２によって回転することができず、鍵は閉まった状態となる。
【０００３】
図３で示すように、鍵４を鍵穴２１に挿入した後、鍵４端面のピン溝によって、下ピン２３は上に押し上げられ、上ピン１２も同じく上へと押し上げられ、バネ１３を縮んだ状態とさせ、同時に上ピン１２と下ピン２３の接する面はちょうど接線３と同じ高さとなり、上ピン１２は内筒２に対する回転を制限されないので、内筒２を回転させることができ、これにより鍵具は開いた状態となる。また知らない人間がこっそりと鍵を開けようとする時、先に工具５を使い鍵穴２１内に入れこみ内筒２をちょっと動かすと、本来の対応状態の上下ピン孔１１、２２は少しずれた状態に回され、また工具５をきつく支えた状態で維持し、その後別の工具６を用い鍵穴２１内に入れこみ、前から後への順序をたどり、各下ピン孔２２内の下ピン２３を動かし上昇させ、初期上ピン１２は傾斜状態だが、図４で示すように、押さえこまれて鍵が開けづらいようだが、実際は経験のある泥棒なら皆知っていて、操作上再び続けて上に押すことができると、上ピン１２はだんだんと元の場所で回り、内筒２はゆっくりと反回転するように導かれ、このように、最後には上下ピン孔１１、１２は上ピン１２の上に上がり十分に空間をつくることができ、図５で示すように、上ピン１２は結局完全に外筒１中の上ピン孔１１内へと上に上がり、遂にはこっそり鍵をあけることができるのである。
【０００４】
【発明が解決しようとする課題】
このように従来のシリンダー錠は、確実に鍵を閉めるという功能がなく、改良して鍵を固く閉める功能を高める必要性があった。
本発明は、工具を使って密かに鍵を開けることはできず、確実に鍵を閉めたままの効果を得られるシリンダー錠を提供することを課題とする。
【０００５】
【課題を解決するための手段】
本発明は一種のシリンダー錠を提供し、特に外筒のピン孔内にはめ込む上ピンにおいて、そのピンは下が大きく上が小さく、また多段の違う大きさの外径をもち、正常に鍵を開ける時、該ピンは均等な力を受けて上昇して鍵は開くが、泥棒などにより不正に工具などで開けられる時は、ピンは不均等な力を受けて傾斜状態となり、違う大きさの外径間に形成される端角は内筒と外筒の接する面の縁部で係止され、ピンは上昇を阻まれて固定され、上に押し上げられることはなく、鍵を開けることはできず、確実に鍵を閉めるという効果が得られる。
【０００６】
【発明実施の形態】
図６で示すように、上ピン７は下が大きく上が小さい造型で、且つ多段の大きさの違う外径を持ち、上ピン７は二つの連接する大きさの違う外径の交わる所で直角状の端角７１を形成し、また上ピン７の底側断面は平面状となり、或いは図の中間に点線で示すように差し込みのアーチ面を具え、当然上ピン７の底側端面がアーチ状に凹んでいる時は、それと対応する下ピン上側端面中央は相対応してアーチ状に突出した造型になっており、互いの面が合致する状態にさせる。
図７で示すように、本発明の上ピン７は外筒１の上ピン孔１１内に差しこまれ、内筒２は対応する下ピン孔２２内に下ピン８を差しこみ、上ピン７上側はバネ９で塞いでおり、普段バネ９は弾発力により上ピン７を下に押し下げて、下ピン８の下側端を鍵穴２１の相対側する壁に押圧して、下ピン８と上ピン７の接する面と接線３はずれた状態となり、内筒２の回転を制限し、鍵具により鍵が閉まった状態となる。
本発明の上ピンは、上が小さく下が大きく、また多段の大きさの違う外径を持ち、多数の垂直の端角７１を形成するため、これにより知らない人間が工具を鍵穴２１に差しこみ下ピン８を動かす時、それが下ピン８の力道を動かすと、下ピン８を確実に上昇させることはできず、且つ工具を鍵穴２１に差しこむので完全に感覚に頼って動かし、これにより、それが下ピン８の力道を動かし下ピン８が上昇するのを難しくし、逆に上ピン７が受ける力は均等ではないので、上ピン７を傾斜させる現象を導き、上ピン７は多数の端角７１を具え、上下ピン孔１１、２２を加えて、また内筒２は旋回されるので少しずれた状態となり、外筒１と内筒２が接する所の接線３に係止部３１を形成させる。このため、上ピン７が傾斜した後、図８で示すように、その端角７１で接線３の係止部３１を突き上げ、上ピン７を上昇できないよう固定した状態にさせる。
【０００７】
また、本発明における上ピン７は下が大きく上が小さい造型で、且つ多段の大きさが違う外径をもつため、不正な操作を行なうとき、図９で示すように上ピン７は少なくとも一段部分を下ピン孔内に残して残りは片側上ピン孔１１の壁面に沿って傾き、もう一方は上ピン孔の壁面と接触しない。従来のものと異なり、上ピンは常に上を向いた状態で操作されない限り、上ピン７は内筒２の回転を制限し、内筒２は正しく導かれないため、知らない人間はこっそりと鍵を開けることはできない。使用者により、鍵を鍵穴２１内に挿入する時には下ピン８の受ける力は均等であるため順調に上ピン７を突き上げることができ、前述のような傾いて鍵を開けられない現象は起きないため、本発明は確実に知らない人間が鍵を開けるのを防止し、鍵具の閉める功能を確保するものである。
【０００８】
【発明の効果】
本発明は、上ピンの形状を変えることで、鍵具を確実にロックする効果を上げ、使用効果を増進させることができる。
【０００９】
【図面の簡単な説明】
【図１】従来の鍵具の立体図である。
【図２】従来の鍵具の断面図である。
【図３】従来の鍵具が鍵を挿入する指示図である。
【図４】、
【図５】従来の鍵具がこっそりと鍵を開けられる指示図である。
【図６】本発明の比較的良い実施例の平面図である。
【図７】本発明の鍵具における応用後の断面図である。
【図８】、
【図９】本発明の効果指示図である。
【符号の説明】
１        外筒
１１      上ピン孔
１２      上ピン
１３      バネ
２        内筒
２１      鍵穴
２２      下ピン孔
２３      下ピン
３        接線
３１      係止部
４        鍵
５        工具
６        工具
７        上ピン
７１      端角
８        下ピン
９        バネ
【図１】
2004204447.tif 000003
【図２】
2004204447.tif 000004
【図３】
2004204447.tif 000005
【図４】
2004204447.tif 000006
【図５】
2004204447.tif 000007
【図６】
2004204447.tif 000008
【図７】
2004204447.tif 000009
【図８】
2004204447.tif 000010
【図９】
2004204447.tif 000011
【手続補正書】
【提出日】平成15年2月3日(2003.2.3)
【手続補正１】
【補正対象書類名】明細書
【補正対象項目名】図面の簡単な説明
【補正方法】変更
【補正の内容】
【図面の簡単な説明】
【図１】従来の鍵具の立体図である。
【図２】従来の鍵具の断面図である。
【図３】従来の鍵具に鍵を挿入する指示図である。
【図４】従来の鍵具が不正に鍵を開けられる場合の鍵の挿入時の状態を示す指示図である。
【図５】従来の鍵具が不正に鍵を開けられる場合の鍵の開放状態を示す指示図である。
【図６】本発明の好適な実施例の平面図である。
【図７】本発明の鍵具における応用後の断面図である。
【図８】本発明の鍵具における鍵挿入時の状態を示す指示図である。
【図９】本発明の鍵具の効果を示す状態指示図である。
【符号の説明】
１        外筒
１１      上ピン孔
１２      上ピン
１３      バネ
２        内筒
２１      鍵穴
２２      下ピン孔
２３      下ピン
３        接線
３１      係止部
４        鍵
５        工具
６        工具
７        上ピン
７１      端角
８        下ピン
９        バネ